【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
１つの対象物について異なる複数の解像度でそれぞれ生成された全体画像のうち任意の１つの解像度の全体画像内の位置情報と、前記全体画像の少なくとも前記１つの解像度の情報とに、ユーザーの付加情報であるマーク情報を関連付け、前記マーク情報が関連付けられた前記位置情報及び前記解像度の情報を、記録位置及び記録解像度の情報としてそれぞれ記憶する記憶部と、
任意の１つの解像度の前記全体画像内の少なくとも一部の画像を、出力対象画像として表示のために出力する出力部と、
前記出力対象画像のうち前記マーク情報が関連付けられた前記記録位置を含む領域の画像を前記出力対象画像から切り出すことで、切り出し画像を生成する生成部と
を具備する情報処理装置。
【請求項２】
請求項１に記載の情報処理装置であって、
前記生成部は、前記ユーザーにより指定された解像度を持つ前記出力対象画像から、前記切り出し画像を生成する
情報処理装置。
【請求項３】
請求項１または２に記載の情報処理装置であって、
前記生成部は、前記ユーザーにより指定されたサイズで前記切り出し画像を生成する
情報処理装置。
【請求項４】
請求項１から３のうちいずれか１項に記載の情報処理装置であって、
前記出力される出力対象画像を構成する出力位置群内に、複数のマーク情報がそれぞれ関連付けられた複数の記録位置が含まれる場合、前記生成部は、前記複数の記録位置の情報を含む領域の画像を、前記複数の記録位置ごとに前記出力対象画像から切り出す
情報処理装置。
【請求項５】
請求項４に記載の情報処理装置であって、
前記生成部は、前記複数の記録位置の情報を含む領域の画像を、前記複数の記録位置の情報を含む領域の画像を、前記複数の記録位置にそれぞれ対応する複数の記録解像度ごとに前記出力対象画像から切り出す
情報処理装置。
【請求項６】
請求項１から３のうちいずれか１項に記載の情報処理装置であって、
前記出力される出力対象画像を構成する出力位置群内に、複数のマーク情報がそれぞれ関連付けられた複数の記録位置が含まれる場合であって、前記複数の記録位置にそれぞれ対応する複数の記録解像度のうち少なくとも１つの記録解像度が、前記出力対象画像の解像度である出力解像度に一致するかまたはそれを超える場合、前記生成部は、前記少なくとも１つの記録解像度に対応する前記記録位置を含む領域の画像を、前記切り出し画像として生成する
情報処理装置。
【請求項７】
請求項１から３のうちいずれか１項に記載の情報処理装置であって、
前記出力される出力対象画像を構成する出力位置群内に、複数のマーク情報がそれぞれ関連付けられた複数の記録位置が含まれる場合であって、設定された切り出しサイズを有する画像内に、前記複数の記録位置が収まる場合に、前記生成部は、前記複数の記録位置を含む領域の画像を、前記１つの切り出し画像として生成する
情報処理装置。
【請求項８】
請求項７に記載の情報処理装置であって、
前記複数の記録位置にそれぞれ対応する複数の記録解像度が、同一または所定の差分の範囲内である場合、前記生成部は、前記複数の記録位置を含む領域の画像を、前記１つの切り出し画像として生成する
情報処理装置。
【請求項９】
請求項７または８に記載の情報処理装置であって、
前記生成部は、前記複数の記録位置の重心を前記切り出し画像の中心とするように、前記切り出し画像を生成する
情報処理装置。
【請求項１０】
請求項１から３のうちいずれか１項に記載の情報処理装置であって、
前記記憶部は、前記出力部により出力された前記出力対象画像の解像度である出力解像度を含む少なくとも２段階以上の解像度で構成される解像度範囲ごとに、前記マーク情報を関連付け、前記マーク情報が関連付けられた前記解像度範囲の情報を、記録解像度範囲の情報として記憶する
情報処理装置。
【請求項１１】
請求項１から３のうちいずれか１項に記載の情報処理装置であって、
前記出力される出力対象画像を構成する出力位置群内に、複数のマーク情報がそれぞれ関連付けられた複数の記録位置が含まれる場合、前記生成部は、前記ユーザーにより指定された領域の画像であって、前記複数のマーク情報のうち少なくとも１つの前記マーク情報が関連付けられた少なくとも１つの記録位置を含む領域の画像を、前記切り出し画像として生成する
情報処理装置。
【請求項１２】
請求項１から３のうちいずれか１項に記載の情報処理装置であって、
前記出力される出力対象画像を構成する出力位置群内に、複数のマーク情報がそれぞれ関連付けられた複数の記録位置が含まれる場合、前記生成部は、前記複数の記録位置のうち、前記ユーザーにより指定された指定キーワードを含む、前記マーク情報に含まれるキーワードに対応する１つ以上の前記記録位置を含む領域の画像を、前記切り出し画像として生成する
情報処理装置。
【請求項１３】
請求項１から１２のうちいずれか１項に記載の情報処理装置であって、
前記生成部により生成された前記切り出し画像の情報にメタデータを生成するメタデータ生成部をさらに具備する情報処理装置。
【請求項１４】
請求項１から１３のうちいずれか１項に記載の情報処理装置であって、
前記出力部は、前記マーク情報の一部または全部としてマーク画像が合成された前記出力対象画像を出力する
情報処理装置。
【請求項１５】
請求項１４に記載の情報処理装置であって、
前記生成部は、前記マーク画像が収まるサイズを有する領域の画像を、前記全体画像から切り出すことにより、前記切り出し画像を生成し、
前記出力部は、前記生成された切り出し画像に前記マーク画像を合成する
情報処理装置。
【請求項１６】
請求項１から１５のうちいずれか１項に記載の情報処理装置であって、
前記生成部が前記切り出し画像の生成を開始するためのユーザーによる入力操作の情報を取得する取得部と、
前記取得部により前記入力操作の情報が取得され、前記生成部により前記切り出し画像の生成が開始された場合、ユーザーに切り出し画像の保存の対象を選択させるための候補画面を生成する候補画面生成部と
をさらに具備する情報処理装置。
【請求項１７】
１つの対象物について異なる複数の解像度でそれぞれ生成された全体画像のうち、任意の１つの解像度の前記全体画像内の少なくとも一部の画像を、出力対象画像として表示のために出力する出力部と、
前記出力対象画像を前記出力部に出力させるためにユーザーにより指定された前記全体画像内の位置情報を少なくとも含む、前記ユーザーによる操作状態の情報を取得する取得部と、
前記ユーザーの連続的または断続的な一連の前記指定操作に応じて前記出力部により出力される、前記位置情報及び前記解像度の情報のうち少なくとも一方が互いに異なる複数の出力対象画像のうち、前記取得部により取得された前記操作状態の情報に基づき、１以上の前記出力対象画像の少なくとも一部の領域を前記全体画像から切り出すことで、切り出し画像を生成する生成部と
を具備する情報処理装置。
【請求項１８】
１つの対象物について異なる複数の解像度でそれぞれ生成された全体画像のうち、任意の１つの解像度の前記全体画像内の少なくとも一部の画像を、出力対象画像として表示のために出力する出力部と、
ユーザーの入力操作に応じて、前記出力部により出力された前記出力対象画像の少なくとも一部の領域を前記全体画像から切り出すことで、切り出し画像を生成する生成部と、
前記生成部により生成された前記切り出し画像の、前記全体画像内の位置情報及び前記解像度の情報に、マーク情報を関連付けて記録する記録部と
を具備する情報処理装置。
【請求項１９】
１つの対象物について異なる複数の解像度でそれぞれ生成された全体画像のうち任意の１つの解像度の全体画像内の位置情報と、前記全体画像の少なくとも前記１つの解像度の情報とに、ユーザーの付加情報であるマーク情報を関連付け、前記マーク情報が関連付けられた前記位置情報及び前記解像度の情報を、記録位置及び記録解像度の情報としてそれぞれ記憶し、
任意の１つの解像度の前記全体画像内の少なくとも一部の画像を、出力対象画像として表示のために出力し、
前記出力対象画像のうち前記マーク情報が関連付けられた前記位置情報を含む領域の画像を前記出力対象画像から切り出すことで、切り出し画像を生成する
情報処理方法。
【請求項２０】
１つの対象物について異なる複数の解像度でそれぞれ生成された全体画像のうち、任意の１つの解像度の前記全体画像内の少なくとも一部の画像を、出力対象画像として表示のために出力し、
前記出力対象画像を出力させるためにユーザーにより指定された前記全体画像内の位置情報を少なくとも含む、前記ユーザーによる操作状態の情報を取得し、
前記ユーザーの連続的または断続的な一連の前記指定操作に応じて出力される複数の出力対象画像であって前記位置情報及び前記解像度の情報のうち少なくとも一方が互いに異なる複数の出力対象画像のうち、前記取得された前記操作状態の情報に基づき、１以上の前記出力対象画像の少なくとも一部の領域を前記全体画像から切り出すことで、切り出し画像を生成する
情報処理方法。
【手続補正２】
【補正対象書類名】明細書
【補正対象項目名】００６３
【補正方法】変更
【補正の内容】
【００６３】
マーク情報管理部５５は、主に、ユーザーによって全体画像に付加された付加情報であるマーク情報を管理し、後述するように、このマーク情報を、全体画像内の位置情報（座標情報）及びその解像度（倍率）の情報に関連付けて記憶する機能を有する。また、マーク情報管理部５５は、上記切り出し画像生成部５３と連携して、切り出し画像の生成に必要な情報を、切り出し画像生成部５３に与える。マーク情報管理部５５を担うハードウェアは、主にＣＰＵ１０１及び記憶部１０８である。
【手続補正３】
【補正対象書類名】明細書
【補正対象項目名】００７５
【補正方法】変更
【補正の内容】
【００７５】
このように、マーク情報（の存在）を表現する情報がマーク画像Ｍとして可視化されることにより、ユーザーは、出力対象画像を閲覧しながら、マーク画像Ｍを基にマーク情報にアクセスすることができる。
【手続補正４】
【補正対象書類名】明細書
【補正対象項目名】００８１
【補正方法】変更
【補正の内容】
【００８１】
図７に示すように、この出力対象画像２１０を含む画面の右下には"画像切り出し"のＧＵＩ（Graphical User Interface）ボタン４１が設けられている。ユーザーによりこのボタン４１が押される等、ユーザーによる画像の切り出しの指示があった場合（ステップ１０１のYes）、ＣＰＵ１０１はその切り出し指定の入力操作の情報を取得し、そのユーザーに関するマーク情報及びその関連情報を取得する（ステップ１０２）。関連情報とは、そのマーク情報に関連付けられた、少なくとも記録座標及び記録倍率の情報である。
【手続補正５】
【補正対象書類名】明細書
【補正対象項目名】０１１４
【補正方法】変更
【補正の内容】
【０１１４】
例えば図１８に示す例では、２つのマーク画像Ｍ９及びＭ１０が接近して存在する場合に、それら両方のマーク画像Ｍが収まるサイズを有する領域３２を、ユーザーが入力部１０７を介して選択し、切り出しが実行される。